(57)【要約】【課題】咀嚼（タッピング等）を想定した咬合の機能的な分析ができる動的な咬合測定方法を提供すること。【解決手段】被験者Ｐに対して両側外耳道ｍ１，ｍ１と上顎中切歯唇面ｍの三点を基準にして咬合測定用感圧センサーシート３を三次元的に位置決めした状態で、前記咬合測定用感圧センサーシート３をタッピングした時の歯列交合面圧分布をリアルタイムで採得し、前記歯列交合面圧分布から演算で求めた重心移動軌跡８０を線図で表示するようにしている。咬合測定用感圧センサーシート３へのタッピングは多数回行われ、初めの複数回を除いて歯列交合面圧分布をリアルタイムで採得し、これら歯列交合面圧分布から演算で求めた重心移動軌跡８０を重ねて線図で表示している。咬合測定用感圧センサーシート３をタッピングした時の歯列交合面圧分布をリアルタイムで表示するようにしている。【選択図】　図１３
2004121283.tif 000002
【特許請求の範囲】
【請求項１】
被験者に対して両側外耳道と上顎中切歯唇面の三点を基準にして咬合測定用感圧センサーシートを三次元的に位置決めした状態で、前記咬合測定用感圧センサーシートをタッピングした時の歯列交合面圧分布をリアルタイムで採得し、前記歯列交合面圧分布から演算で求めた重心移動軌跡を線図で表示するようにしたことを特徴とする動的な咬合測定方法。
【請求項２】
咬合測定用感圧センサーシートへのタッピングは多数回行われ、初めの複数回を除いて歯列交合面圧分布をリアルタイムで採得し、これら歯列交合面圧分布から演算で求めた重心移動軌跡を重ねて線図で表示していることを特徴とする請求項１記載の動的な咬合測定方法。
【請求項３】
重心移動軌跡は、重心の移動距離とそれに要する時間の関係から得られたものであることを特徴とする請求項１又は２記載の動的な咬合測定方法。
【請求項４】
咬合測定用感圧センサーシートをタッピングした時の歯列交合面圧分布をリアルタイムで表示するようにしたことを特徴とする請求項１乃至３のいずれかに記載の動的な咬合測定方法。
【発明の詳細な説明】
【０００１】
【発明の属する技術分野】
この発明は、動的な咬合測定方法に関するものである。
【０００２】
【従来の技術】
従来の咬合面圧分布の測定は噛みしめの一時点におけるもの（例えば、特開平６−２７７２４０号公報。）か、経時的なものと雖も顎の運動スピードに対応したものではなく、実際の咀嚼（タッピング等）を想定した咬合の機能的な分析はほとんど不可能であった。
【０００３】
また、被験者の口腔内における咬合測定用感圧センサシートの位置決めに関して基準がなく、歯列とセンサシートの位置関係が不安定な状態で測定が行われており、そのため治療効果の評価のための採得時期の異なるデータの比較が困難であった。
【０００４】
【特許文献１】
実開平６−２７７２４０号公報
【０００５】
【発明が解決しようとする課題】
そこで、この発明では、咀嚼（タッピング等）を想定した咬合の機能的な分析ができる動的な咬合測定方法を提供することを課題とする。
【０００６】
【課題を解決するための手段】
（請求項１記載の発明）
この発明の動的な咬合測定方法は、被験者に対して両側外耳道と上顎中切歯唇面の三点を基準にして咬合測定用感圧センサーシートを三次元的に位置決めした状態で、前記咬合測定用感圧センサーシートをタッピングした時の歯列交合面圧分布をリアルタイムで採得し、前記歯列交合面圧分布から演算で求めた重心移動軌跡を線図で表示するようにしている。
（請求項２記載の発明）
この発明の動的な咬合測定方法は、上記請求項１記載の発明に関し、咬合測定用感圧センサーシートへのタッピングは多数回行われ、初めの複数回を除いて歯列交合面圧分布をリアルタイムで採得し、これら歯列交合面圧分布から演算で求めた重心移動軌跡を重ねて線図で表示している。
（請求項３記載の発明）
この発明の動的な咬合測定方法は、上記請求項１又は２記載の発明に関し、重心移動軌跡は、重心の移動距離とそれに要する時間の関係から得られたものである。
（請求項４記載の発明）
この発明の動的な咬合測定方法は、上記請求項１乃至３のいずれかに記載の発明に関し、咬合測定用感圧センサーシートをタッピングした時の歯列交合面圧分布をリアルタイムで表示するようにしている。
【０００７】
なお、この発明の動的な咬合測定方法における作用・効果については、発明の実施の形態の欄で明らかにする。
【０００８】
【発明の実施の形態】
この発明の実施形態の動的な咬合測定方法について説明する。
【０００９】
この動的な咬合測定方法は、図５、図６に示すように被験者Ｐに対して両側外耳道ｍ１，ｍ１と上顎中切歯唇面ｍの三点を基準にして咬合測定用感圧センサーシート３（以下、センサーシート３という）を三次元的に位置決めした状態で、前記センサーシート３をタッピングした時の歯列交合面圧分布を採得し、前記歯列交合面圧分布から演算で求めた歯列交合面圧分布重心８（以下、重心８という）の移動距離とそれに要する時間の関係を重心移動軌跡８０として線図で表示するようにしている。
【００１０】
なお、この実施形態では、センサーシート３へのタッピングは１０回行われ、５〜１０回目のみを歯列交合面圧分布を採得し、これら歯列交合面圧分布から演算で求めた平均重心移動距離とそれに要する時間の関係を重心移動軌跡として線図で表示するようにしている。
（センサシート３について）
センサシート３は、厚さは１００μｍの馬蹄形に形成されており、これを形成する上下のポリエステルフィルムの対向面にはＸ−Ｙグリッドを構成する行電極が５２本（一方面）、列電極が４４本（他方面）、印刷されたものとしてあると共に、上下のポリエステルフィルム間に圧力に対し電気抵抗性を示す圧感受性インクを挟み込む構造としてある。
【００１１】
なお、上記行・列電極が交差する部分にできるセンサセルの電気抵抗値はコネクタ１により数百段階のデジタル値に変換されてコンピュータに取り込まれ、センサシート３上の圧力変化をリアルタイムで確認することができるようにしている。
（被験者に対して両側外耳道と上顎中切歯唇面の三点を基準にして咬合測定用感圧センサーシートを三次元的に位置決めする方法について：咬合測定用感圧センサシートの位置決め装置Ｓの使用）
咬合測定用感圧センサシートの位置決め装置Ｓ（以下、センサシートの位置決め装置Ｓという）は、図１や図４に示すように、アダプター２を介してコネクタ１に装填されたセンサシート３を、被験者Ｐに対して三次元的に位置決めするものであり、切歯ガイド４、基体５と、アーム６と、耳入桿７，７とを具備するものとしている。
【００１２】
アダプター２は、コネクタ１に対して着脱自在であり、アダプター２のコネクタ１への装着状態においては、図２に示すように、コネクタ１の前後方向のセンターラインＣＬ１とアダプター２のセンターラインＣＬ２とは一致するようになっている。また、アダプター２は、図１や図２に示すように、両腕２０，２０の基端部側内面をこれと対応する位置のセンサシート３の外周ラインと適合させてあり、センサシート３がアダプター２を介してコネクタ１に装填された状態においては、図２に示すように、上記センターラインＣＬ１，ＣＬ２と、センサシート３のセンターラインＣＬ３とは一致するようになっている。なお、アダプター２には、図２に示すように切歯ガイド４の中央部分に後述する中央位置支持突起４０が形成されており、前記中央位置支持突起４０の中央はセンターラインＣＬ１，ＣＬ２と，ＣＬ３と一致している。
【００１３】
切歯ガイド４は、上顎中切歯唇面ｍの位置の基準となるものであり、図１や図２に示すように、アダプター２の幅方向中央部に形成された中央位置指示突起４０と、前記中央位置支持突起４０を覆うべくアダプター２にネジ止めされた透明板４１とから構成されている。ここで、上記センサシート３を三次元的に位置決めする場合には、図４や図５に示すように、被験者Ｐの上顎中切歯Ｔ，Ｔ相互間位置を中央位置支持突起４０と対向させ、上顎中切歯唇面ｍを切歯ガイド４の透明板４１に接触させるようにして位置決めする（第１位置決め部）。
【００１４】
基体５は、図１〜図３に示すように、枠体５Ａと、前記枠体５内を貫通し且つコネクタ１を保持する保持部材５Ｂと、前記枠体５Ａに対して保持部材５Ｂを前後方向に移動可能に取り付けるスライド機構５Ｃとから構成されている。
【００１５】
アーム６は、図１や図３に示すように、枠体５Ａの上部に揺動自在に取り付けられた略コ字状（Ｕ字状でもよい）のものであり、調整用ボルト６０のねじ込みにより所定の角度で固定できるようになっている。ここで、このアーム６の枠体５Ａへの取り付け状態においては、図１や図３に示すように左右に延びた後、それぞれ後方に９０°方向に折れ曲がる形態を採っている。
【００１６】
耳入桿７は、内端部を合成樹脂で構成してあり、図１〜図３に示すように、左右のアーム端に内外方向に移動可能に取り付けられていると共に、ボルト７０のねじ込みにより所定の位置で固定できるようになっている。また、この耳入桿７はその外周面に目盛りを付してあり、この目盛りを記憶又は記録しておくことにより耳入桿７の内側への送り込み量が再現できるようになっている。ここで、上記センサシート３を三次元的に位置決めする場合には、図４や図５に示すように、被験者Ｐの左右外耳道ｍ１，ｍ１に左右の耳入桿７を挿入させるようにして位置決めする（第２、第３位置決め部）。
【００１７】
上述した内容から、耳入桿７，７は切歯ガイド４に対して前後方向に移動可能であるから、耳入桿７，７は切歯ガイド４に対して接近・離反が可能である。また、耳入桿７，７が取り付けられているアーム６は枠体５Ａの上部に揺動自在に取り付けられているから、耳入桿７，７は切歯ガイド４に対して上下動が可能である。
【００１８】
上記センサシートの位置決め装置Ｓによりセンサシート３を三次元的に位置決めする場合には、以下の▲１▼〜▲５▼の順序で行う。
▲１▼．図４や図５に示すように、被験者Ｐの上顎中切歯Ｔ，Ｔ相互間位置を中央位置支持突起４０と対向させ、上顎中切歯唇面ｍを切歯ガイド４の透明板４１に接触させる。この状態においてセンサシート３を咬む。
▲２▼．▲１▼の状態を維持しながら、耳入桿７，７を切歯ガイド４に対して前後方向及び上下方向に移動させて左右外耳道ｍ１，ｍ１に対向させ、耳入桿７，７の内端を左右外耳道ｍ１，ｍ１に挿入する。
▲３▼．▲２▼の状態を維持しながら、ボルト７０をねじ込んで耳入桿７，７を固定し、耳入桿７，７の外周面に付した目盛り（データ）を記憶又は記録する。
▲４▼．次に、調整用ボルト６０をねじ込んでアーム６を固定する。
【００１９】
この状態では、被験者Ｐに対してセンサシート３は、上顎中切歯唇面ｍ、左右の外耳道ｍ１，ｍ１の三点を基準にして三次元的に位置決めされている。
▲５▼．再度、被験者Ｐに対してセンサシート３を位置決めする場合、上記と同じ要領で行えばよいが、この際、耳入桿７，７の外耳道ｍ１，ｍ１への挿入度合いは▲３▼において記憶又は記録したデータに従う。
【００２０】
したがって、被験者Ｐに対してセンサシート３は、前回と同様に、上顎中切歯唇面ｍ、左右の外耳道ｍ１の三点を基準にして三次元的に位置決めされることになり、同じ被験者Ｐである限り、センサシート３を咬む位置が同じ位置となる。
【００２１】
「他の実施形態」
このセンサシートの位置決め装置Ｓとしては上記実施形態に限定されることなく、図６に示す構成を採用できる。このセンサシートの位置決め装置Ｓでは、図６に示すように、耳入桿７，７を具備するアーム６をコネクタ１に揺動自在に取り付け、アーム６の左右部分が伸縮（伸縮部を符号６１で示す）するものとしてある。したがって、この場合においても切歯ガイド４に対して耳入桿７，７は前後方向に移動できることになり、上記実施形態１と同様の機能を発揮する。なお、この実施形態において左右の耳入桿７，７が同期して移動するように、アーム６の左右先端部相互にパイプや棒体を架設するようにしてもよい。
【００２２】
他方、この実施形態の構成の場合、ア−ム６におけるコネクタ１への取り付け部分又はその近傍から切歯ガイド４を垂下させて図６に示した位置に配置させることができる。
【００２３】
そして、上記実施形態では切歯ガイド４は、中央位置支持突起４０と透明板４１とから構成しているが、これに限定されることなく、切歯ガイド４はセンタ−ラインが形成された透明板４１のみであっても、中央位置支持突起４０の先端部を平面状に形成しその中央にセンタ−ラインが形成されたものであってもよい。
（タッピングについて）
被験者にあらかじめ練習させた２０秒（１２００フレームに相当）タッピングさせ、６〜１０回目のタッピングについてのみ歯列交合面圧分布のデ−タを採得する。１〜５回目についてデータを採得しないのは、加圧によりセンサシート３は圧縮変形を受け、圧が開放された後も変形が残存した状態となって、更に同じ圧を受けた場合において出力値が小さくなる（加圧と出力値との関係が一定にならない）からである。ここで、６〜１０回目のタッピングについてはほぼ一定の出力値がえられ、よって繰り返し加圧の測定では最初の５回を除去することにより信頼性の高いデータを採得することができる。
（歯列交合面圧分布のデ−タを、歯列交合面圧分布重心の移動距離、及びそれに要する時間を求める手法について）
得られた歯列交合面圧分布のデータを解析ソフトＩ−Ｓｃａｎ（Ｖｅｒ４．２、ニッタ株式会社、大阪）を用いて各フレームにおける重心の座標をアスキー形式で保存し、パーソナルコンピュータ（Ｐｏｗｅｒ　Ｍａｃ　Ｇ４，アップルコンピュータ（株）、東京）の表計算ソフト（Ｅｘｃｅｌ，マイクロソフト（株）、東京）に取り込み、２０秒間に行われたタッピングの６〜１０回目までの重心の平均移動距離を求める。
【００２４】
タッピングに要した時間に関しては、閉口時に最初の歯の接触が認められ出力値総和が最大になるまでの時間Ｔｐ、タッピングの開口時に歯の接触がなくなる瞬間までの時間Ｔｔを求める。
【００２５】
上記した重心の平均移動距離及び時間Ｔｔ，Ｔｐより、重心移動軌跡８０として線図で表示する。
（３名の被験者Ｐ１，Ｐ２，Ｐ３についての結果等について）
▲１▼　図７〜図９は被験者Ｐ１，Ｐ２，Ｐ３の口腔内の示したものである。図中、符号Ｔは歯であり、符号Ｔ１は歯肉である。
・被験者Ｐ１
第一大臼歯の咬合関係がアングル１級で前歯部に叢生を伴いオーバージェット＋５．３ｍｍ、オーバーバイト＋３．５ｍｍで下顎正中が右側へ１．５ｍｍの偏位を示す（図７）矯正治療予定の女性。
・被験者Ｐ２
第一大臼歯の咬合関係が右アングル３級、左側アングル１級で前歯部に叢生を伴うオーバージャット−２．１ｍｍ，オーバーバイト＋１．４ｍｍの反対交合で上顎正中が右側３．０ｍｍ、下顎正中が左側へ５．０ｍｍの偏位を示す（図８）外科的矯正治療予定の成人女性。
・被験者Ｐ３
矯正治療の既往がなく、顎間節異常及び顎周囲筋に異常が認められず、第一大臼歯の咬合関係が右アングル３級、左側アングル１級で智歯を除く全歯が存在し、形態を大きく変える歯冠修復物がない個性正常交合を有する（図９）成人女性。
▲２▼　３人の被験者Ｐ１，Ｐ２，Ｐ３について閉口時に上下顎の歯による最初の接触（被験者Ｐ１：図１０、被験者Ｐ２：図１４、被験者Ｐ２：図１８）から咬合接触面積が増加し（被験者Ｐ１：図１１、被験者Ｐ２：図１５、被験者Ｐ３：図１９）、そして上下顎歯の接触が認められなくなる（被験者Ｐ１：図１２、被験者Ｐ２：図１６、被験者Ｐ３：図２０）過程を示す。図１０〜図２１中、符号９は上下顎の歯による接触部を示す。
【００２６】
正常咬合の被験者Ｐ３の重心８及び重心移動軌跡８０は歯列弓のほぼ中央でわずかな移動量であったのに対し（図１８〜図２０）、前歯部に叢生が認められる被験者Ｐ１では最初に咬合接触が認められた時点において重心８は歯列のほぼ中央に位置していたが（図１０）、接触面積が増すにつれ重心８は歯列後方へ移動し（図１１）、開口相への移行に伴い重心８は左側臼歯部へ移動した（図１２）。顎変形症の被験者Ｐ２では、まず中切歯部において咬合接触が認められ（図１４）、それから臼歯部が接触し咬合接触面積が増すにつれて重心８が歯列弓遠心部に移動した（図１５）。その後右側臼歯部咬合が離開して開口に向かう際に左側における咬合接触が認められ、歯列弓中心から左側への重心８の移動が認められた（図１６）。
【００２７】
図１３、図１７、図２１は各被験者に行わせたタッピングの６回目から１０回目までの歯列咬合面圧分布の重心移動軌跡８０を重ねて表示したもので、重心移動で各被験者固有の軌跡を示すことが判った。
【００２８】
解析ソフトを用いて各被験者の５回のタッピングの重心８の移動量及びそれに要する時間の平均値を求めた。矯正治療が必要と思われる被験者Ｐ１及びＰ２がそれぞれの重心の平均移動距離が５３．１ｍｍ、５５．９ｍｍに対し、正常咬合を有する被験者Ｐ３では３１．９ｍｍと前二者に比べて小さな値を示した。また、平均時間についてはＴｐ，Ｔｔいずれにおいても被験者Ｐ１及びＰ２では被験者Ｐ３の約２倍の時間を要していた。
「結果についての検討」
閉口時の早期接触や咬頭嵌合位から開口の際の上下顎の歯の接触状態のみでなく、咬合接触の順番も確認することができた。特に、正常咬合者（被験者Ｐ３）のタッピング時の咬合接触が全歯列にわたりほぼ同時に起こり重心８の移動量が小さく、それに要する時間が短いのに対し、矯正治療予定の患者（被験者Ｐ１、Ｐ２）の場合、上下歯列の咬合接触の部位による時間差が生じ、重心８の移動距離は大きく、１ストロークの所要時間が長い。
【００２９】
また、重心８の移動する範囲を比較すると、被験者Ｐ３ではタッピング時の重心８が歯列のほぼ中央の狭い範囲に位置したのに対し、矯正治療予定の被験者Ｐ１及びＰ２の重心８は咬合力の出力値が最大になる時点ではほぼ歯列中央部に位置していたが、タッピング中の咬合接触の開始時と終了時の重心８の位置は歯列の中央から大きく離れたところに位置していた。
【００３０】
上記のことは、中心咬合位における咬合接触面積や咬合圧を測定するだけでは咬合機能を充分に把握できないことを示している。
【００３１】
即ち、咬合機能を評価する場合には、被験者Ｐ（Ｐ１，Ｐ２，Ｐ３）に対してセンサーシート３を三次元的に位置決めした状態で、前記センサーシート３をタッピングした時の歯列交合面圧分布をリアルタイムで採得し、前記歯列交合面圧分布から演算で求めた重心の移動距離とそれに要する時間の関係を重心移動軌跡８０として線図で表示する、ことが重要であることが判る。この場合において、センサーシート３へのタッピングは多数回行われ、初めの複数回を除いて歯列交合面圧分布をリアルタイムで採得し、これら歯列交合面圧分布から演算で求めた重心の移動距離とそれに要する時間の関係を重心移動軌跡８０として線図で表示（図１３、図１７、図２１）することが好ましい。
【００３２】
なお、矯正治療は、一般的に数年にわたって行われることが多く、上記動的な咬合測定方法により得たデータから咬合状態の評価を数回から十数回行う必要がある。この場合において、被験者Ｐに対してセンサーシート３を三次元的に位置決めすることは非常に重要である。被験者Ｐにセンサーシート３をしっかりと固定し且つ毎回同じ位置条件で咬合させなければ、平均重心移動軌跡が大きく変化してしまい、測定が意味のないものとなってしまうからである。
【００３３】
したがって、この動的な咬合測定方法を採用した場合、咀嚼（タッピング等）を想定した咬合の機能的な分析ができることが判る。
【００３４】
【発明の効果】
この発明は上記のような構成であるから次の効果を有する。
【００３５】
発明の実施の形態の欄に記載した内容から、咀嚼（タッピング等）を想定した咬合の機能的な分析ができる動的な咬合測定方法を提供できた。
【図面の簡単な説明】
【図１】この発明の実施形態で使用される咬合測定用感圧センサシートの位置決め装置の斜視図。
【図２】前記咬合測定用感圧センサシートの位置決め装置の正面図。
【図３】前記咬合測定用感圧センサシートの位置決め装置からコネクタ、アダプター及びセンサシートを取り外した状態を示す斜視図。
【図４】前記咬合測定用感圧センサシートの位置決め装置を患者に取り付けた状態を示す側面図。
【図５】前記咬合測定用感圧センサシートの位置決め装置を患者に取り付けた状態を示す上面図。
【図６】他の実施形態の咬合測定用感圧センサシートの位置決め装置の斜視図。
【図７】被験者Ｐ１の口腔内を示した図。
【図８】被験者Ｐ２の口腔内を示した図。
【図９】被験者Ｐ３の口腔内を示した図。
【図１０】被験者Ｐ１における閉口時に上下顎の歯による最初の接触状態を示し、その時のの咬合面圧分布重心を示す平面図。
【図１１】被験者Ｐ１において咬合接触面積が増加した状態を示し、咬合面圧分布重心及びその移動軌跡を示す平面図。
【図１２】被験者Ｐ１における上下顎歯の接触が認められなくなる直前の状態を示し、咬合面圧分布重心及びその移動軌跡を示す平面図。
【図１３】被験者Ｐ１に行わせたタッピングの６回目から１０回目までの歯列咬合面圧分布の重心移動軌跡を重ねて表示した平面図。
【図１４】被験者Ｐ２における閉口時に上下顎の歯による最初の接触状態を示し、その時のの咬合面圧分布重心を示す平面図。
【図１５】被験者Ｐ２において咬合接触面積が増加した状態を示し、咬合面圧分布重心及びその移動軌跡を示す平面図。
【図１６】被験者Ｐ２における上下顎歯の接触が認められなくなる直前の状態を示し、咬合面圧分布重心及びその移動軌跡を示す平面図。
【図１７】被験者Ｐ２に行わせたタッピングの６回目から１０回目までの歯列咬合面圧分布の重心移動軌跡を重ねて表示した平面図。
【図１８】被験者Ｐ３における閉口時に上下顎の歯による最初の接触状態を示し、その時のの咬合面圧分布重心を示す平面図。
【図１９】被験者Ｐ３において咬合接触面積が増加した状態を示し、咬合面圧分布重心及びその移動軌跡を示す平面図。
【図２０】被験者Ｐ３における上下顎歯の接触が認められなくなる直前の状態を示し、咬合面圧分布重心及びその移動軌跡を示す平面図。
【図２１】被験者Ｐ３に行わせたタッピングの６回目から１０回目までの歯列咬合面圧分布の重心移動軌跡を重ねて表示した平面図。
【符号の説明】
Ｐ　　　被験者
ｍ　　　上顎中切歯唇面
ｍ１　　外耳道
Ｓ　　　咬合測定用感圧センサシートの位置決め装置
３　　　咬合測定用感圧センサシート
８　　　重心
８０　　重心移動軌跡
９　　　接触部
【図１】
2004121283.tif 000003
【図２】
2004121283.tif 000004
【図３】
2004121283.tif 000005
【図４】
2004121283.tif 000006
【図５】
2004121283.tif 000007
【図６】
2004121283.tif 000008
【図７】
2004121283.tif 000009
【図８】
2004121283.tif 000010
【図９】
2004121283.tif 000011
【図１０】
2004121283.tif 000012
【図１１】
2004121283.tif 000013
【図１２】
2004121283.tif 000014
【図１３】
2004121283.tif 000015
【図１４】
2004121283.tif 000016
【図１５】
2004121283.tif 000017
【図１６】
2004121283.tif 000018
【図１７】
2004121283.tif 000019
【図１８】
2004121283.tif 000020
【図１９】
2004121283.tif 000021
【図２０】
2004121283.tif 000022
【図２１】
2004121283.tif 000023